(57)【特許請求の範囲】
【請求項１】
少なくとも複数個のバランスウエイトを収納するバランスウエイト収容部と、
該バランスウエイト収容部から送出されるバランスウエイトを送出方向に対し前後に位置するバランスウエイトどうしが互いに線接触して連続して移送されるバランスウエイト移送通路と、該バランスウエイト移送通路に続いて下方に傾斜させたバランスウエイト供給通路と、該バランスウエイト供給通路の出口に臨んで設けられた円弧状支持面と、該円弧状支持面と対向する位置に設けられてモータにより駆動される圧接ロールと、帯状の剥離シートの片面に粘着剤が塗布された粘着シートをロール状に巻き付けた粘着シート送り出し部と、該粘着シートを前記円弧状支持面に供給されたバランスウエイトと前記圧接ロールとの間に供給して前記円弧状支持面に供給されたバランスウエイトを前記粘着剤を介して前記粘着シートに貼着するバランスウエイト粘着部とからなることを特徴とするバランスウエイト並列体の製造装置。
【請求項２】
前記請求項１記載のバランスウエイト並列体の製造装置を用い、バランスウエイト収容部から送出されるバランスウエイトを送出方向に対し前後に位置するバランスウエイトどうしを互いに線接触させて下方に傾斜させたバランスウエイト供給通路に供給し、さらに該バランスウエイト供給通路の出口に臨んで設けられた円弧状支持面に順次案内し、一方、片面に粘着剤が塗布された粘着シートを粘着シート送り出し部から送り出して前記円弧状支持面上に供給されたバランスウエイト上面に順次案内し、前記円弧状支持面に案内された前後のバランスウエイトどうし間に所定幅の小間隔を発生させながら、前記粘着シートに粘着剤を介して貼着させることを特徴とするバランスウエイト並列体の製造方法。
【発明の詳細な説明】
【技術分野】
【０００１】
本発明は、自動車用タイヤを組み込んだホイールの周方向および軸方向のアンバランスを調整するバランスウエイト並列体の製造装置および製造方法に関する。
【背景技術】
【０００２】
従来から、鉛や鉄などの金属片をプレス機により矩形ペレット状に成形したホイールのバランスウエイトが知られている（例えば、特許文献１参照）。このバランスウエイトＷは、例えば、図９に示すように側方から見た厚み部分の形状が略台形状をなし、前面、後面および側面と上面とがそれぞれ連続する角部で滑らかな円弧面に形成されている。また、帯状の剥離シート（粘着シート）Ｓ上で前記台形状が連続するように、複数個のバランスウエイトＷが並べられ、その台形状の底辺どうしが線接触するように配置されている。バランスウエイトは、上記以外にも種々の形状のものが提案されているが、いずれのバランスウエイトも単位長におけるバランスウエイトの貼着個数を最大にするために剥離シート（粘着シート）には前後で接触して列設されている。
【０００３】
従って、前記剥離シート（粘着シート）Ｓの単位長におけるバランスウエイトＷの貼着個数を最大にすることができる。このバランスウエイトＷは、例えば、図９に示すようにそれぞれ同形、同サイズに形成され、例えばその上面に材質（例えば、「Ｆｅ」）および重量（例えば、「５グラム」）の文字が刻設されている。前記複数個のバランスウエイトは、粘着剤Ｎを介して前記帯状の剥離シートＳ上に貼り付けられている。
【０００４】
また、前記バランスウエイトＷは、例えば側方から見て台形をなすため、このバランスウエイトＷの前面および後面は、相互に下方に向かって広がる傾斜面をなす。従って、かかるバランスウエイトＷだけでなく、他のバランスウエイトも同様に粘着剤Ｎを介して帯状の剥離シート（粘着シート）Ｓ上に貼り付け、バランスウエイトＷを内側にして剥離シート（粘着シート）Ｓを、一方のバランスウエイトＷの後面とこれに隣接する他方のバランスウエイトＷの前面とが干渉する状態まで、渦巻状に巻きつけることが可能になる。これにより、多数のバランスウエイトＷが剥離シート（粘着シート）Ｓとともに一つの円柱形ブロック体を構成することとなり、そのバランスウエイト並列体の取り扱いが容易になる。
【０００５】
一方、そのバランスウエイトＷを使用する場合には、円柱形ブロック体の剥離シート（粘着シート）Ｓを所定長に亘って巻き戻し、この巻き戻した剥離シート（粘着シート）Ｓの先端部にあるものから必要とする個数のバランスウエイトＷを分離（剥離）し、図１０に示すようにバランス測定対象のホイールＨのリムＲに貼り着ける。これにより、リムＲに傷を付けることなく、極めて簡単かつ迅速に、ホイールＨのバランス調整作業を実施することができる。
【先行技術文献】
【特許文献】
【０００６】
【特許文献１】特開２００９−１７４７１２号公報
【発明の概要】
【発明が解決しようとする課題】
【０００７】
しかしながら、かかる従来のバランスウエイト並列体にあっては、剥離シートＳに貼り付けられたバランスウエイトＷの厚み部分の形状が前述のように略台形状であっても、隣り合うバランスウエイトＷの底辺どうしが線接触するように並列されているため、図８に示すように各バランスウエイトＷを内側にして剥離シートＳを渦巻状に巻き付けた場合に、その隣接する一方のバランスウエイトＷ後面と他方のバランスウエイトＷの前面とが直ちに干渉し合う関係となってしまう。このため、剥離シート（粘着シート）Ｓ上のバランスウエイトＷの貼着個数に対する巻き付け径、つまり円柱形ブロック体全体の外径が必要以上に大きくなり、その円柱形ブロック体の運搬や収納に不便であるという不都合があった。
【０００８】
本発明は前述のような従来の問題点を解消するものであり、その目的とするところは、帯状の粘着シート上に複数のバランスウエイトを一定の小間隔をおいて並列させることで、粘着シートを巻き付けた円柱形ブロック体の外径を十分に径小可能にし、以って円柱形ブロック体の取扱いや運搬、更には収納の各作業をより容易化するホイールのバランスウエイト並列体、このバランスウエイト並列体の製造装置および製造方法を提供することにある。
【課題を解決するための手段】
【０００９】
前記目的を達成するために、本発明の請求項１に係るバランスウエイト並列体の製造装置は、少なくとも複数個のバランスウエイトを収納するバランスウエイト収容部と、
該バランスウエイト収容部から送出されるバランスウエイトを送出方向に対し前後に位置するバランスウエイトどうしが互いに線接触して連続して移送されるバランスウエイト移送通路と、該バランスウエイト移送通路に続いて可能に傾斜させたバランスウエイト供給通路と、該バランスウエイト供給通路の出口に臨んで設けられた円弧状支持面と、該円弧状支持面と対向する位置に設けられてモータにより駆動される圧接ロールと、帯状の剥離シートの片面に粘着剤が塗布された粘着シートをロール状に巻き付けた粘着シート送り出し部と、該粘着シートを前記円弧状支持面上に供給されたバランスウエイトと前記圧接ロールとの間に供給して前記円弧状支持面に供給されたバランスウエイトを前記粘着剤を介して前記粘着シートに貼着するバランスウエイト貼着部とからなることを特徴とする。
【００１０】
また、本発明の請求項２に係るバランスウエイト並列体の製造方法は、前記請求項１記載のバランスウエイト並列体の製造装置を用い、バランスウエイト収容部から送出されるバランスウエイトを送出方向に対し前後に位置するバランスウエイトどうしを互いに線接触させて下方に傾斜させたバランスウエイト供給通路に供給し、さらに該バランスウエイト供給通路の出口に臨んで設けられた円弧状支持面に順次案内し、一方、片面に粘着剤が塗布された粘着シートを粘着シート送り出し部から送り出して前記円弧状支持面上に供給されたバランスウエイト上面に順次案内し、前記円弧状支持面に案内された前後のバランスウエイトどうし間に所定幅の小間隔を発生させながら、前記粘着シートに粘着剤を介して粘着させることを特徴とする。
【００１１】
これにより、隣り合う各一のバランスウエイトと粘着シートとがバランスウエイト貼着部にて貼着させる場合において、その貼着が前記円弧状支持面上でなされることで、隣り合うバランスウエイトどうし間に一定の小間隔を発生させることができる。つまり、隣り合う先行するバランスウエイトが円弧状支持面に至ると、円弧状支持面によりそれに後続する直後のバランスウエイトに対し傾斜するので、先行するバランスウエイトとそれに続く直後のバランスウエイトとの間の一方端側でＶ字状の開き（隙間）が生じ、この状態で開きが生じた側で粘着シートに貼着されるため、粘着シートにはバランスウエイトが小間隙を持って貼着され列設される。このため、前記貼着によって得られた帯状のバランスウエイト並列体は、バランスウエイトを内側にして渦巻き状に巻き付けて円柱形ブロック体としたとき、粘着シート上で互いに隣接する一方のバランスウエイトの後面と他方のバランスウエイトの前面とが互いに干渉する前にこれらのバランスウエイトが隣接する部位で粘着シートが大きな角度または傾きで湾曲する。このため、特に円柱形ブロック体の中心部付近において渦巻き径を小さくすることができ、結果的に円柱形ブロック体全体の外径を小さめに抑えることができる。
【００１３】
さらに、隣接する一方のバランスウエイトの前面と他方のバランスウエイトの後面との前記小間隔が、これらのバランスウエイトを設けた粘着シートをバランスウエイトを内側として渦巻き状に巻き付けた際の巻径、特に円柱形ブロック体の中心部付近の巻径を小さくすることができ、結果として、円柱形ブロック体全体の外径を小さめに抑えることができる。このため、粘着シートの単位長当たりのバランスウエイトの設置数は少なめになるものの間隔は小さいので、減少数はそれほどでもなく、所定径の円柱形ブロック体全体としてバランスウエイト設置数を十分に確保でき、その外径を小さめに抑えることができ、結果としてこの円柱形ブロック体の取り扱いや、運搬、更には収納を容易化することができる。
【発明の効果】
【００１４】
本発明によれば、帯状の粘着シート上に複数のバランスウエイトを一定の小間隔を置いて並列させることができ、さらに粘着シートを巻き付けた円柱形ブロック体の外径を十分に径小可能にし、以って円柱形ブロック体の取扱いや運搬、更には収納の各作業をより容易化するバランスウエイト並列体の製造装置および製造方法を提供することができる。
【００１５】
以上、本発明について簡潔に説明した。更に、以下に本発明を実施するための最良の形態を添付の図面を参照して、詳細に説明する。
【図面の簡単な説明】
【００１６】
【図１】本発明の実施形態によるホイールのバランスウエイト並列体の製造装置を示す正面図である。
【図２】図１におけるバランスウエイト並列体の製造装置の要部を拡大して示す正面図である。
【図３】図２におけるバランスウエイト並列体の製造装置のさらに要部を拡大して示す正面図である。
【図４】図３におけるバランスウエイト並列体の製造装置の要部を示す斜視図である。
【図５】バランスウエイトが粘着シートに小間隙を持って貼着される様子を示す説明図である。
【図６】本発明におけるバランスウエイトを示す斜視図である。
【図７】本発明における粘着シートにおけるバランスウエイトの貼着位置を示す説明図である。
【図８】本発明におけるバランスウエイト並列体の円柱形ブロック体を示す斜視図である。
【図９】従来のバランスウエイト並列体を示す斜視図である。
【図１０】バランスウエイトの使用状態を示す斜視図である。
【発明を実施するための形態】
【００１７】
以下、本発明の実施の形態にかかるバランスウエイト並列体およびこのバランスウエイト並列体の製造装置を、図面を参照して説明する。
【００１８】
本実施形態によるバランスウエイト並列体の製造装置は、図１に示すように、バランスウエイト収容部Ａと、バランスウエイト移送通路Ｂ、Ｃと、粘着シート送り出し部Ｄと、バランスウエイト貼着部Ｅと、粘着シート巻き取り部Ｆと、を備えて構成される。バランスウエイト収容部Ａおよびバランスウエイト移送通路Ｂはキャスター１１付きのフレーム１２に取り付けられている。また、バランスウエイト移送通路Ｃ、粘着シート送り出し部Ｄ、バランスウエイト貼着部Ｅおよび粘着シート巻き取り部Ｆはキャスター１３付きのフレーム１４に取り付けられている。フレーム１２およびフレーム１４において製造装置の機枠を構成する。
【００１９】
バランスウエイト収容部Ａは予め所定の形状、サイズに成形された多数の矩形ペレット状のバランスウエイトＷを収容するホッパー１５を備え、上部開口から投入された多数個の前記バランスウエイトＷを、下層にあるものから順次下部の送出口から外へ連続的に送出するように機能する。このホッパー１５はショート（図示省略）を備え、送出口から送出されたバランスウエイトＷを案内するようにしてもよい。なお、このバランスウエイトＷの送り出しは重力によるほか、図示しない動力を利用した送り出し装置を利用してもよい。なお、本例でのバランスウエイトＷは、図６に示すように、側方から見て台形状をなし、その前面ｔ１および後面ｔ２は相互に下方に向って（上面から底面に向う方向に）広がる傾斜面となっているが、これに限定されるものではない。
【００２０】
バランスウエイト移送通路Ｂは、駆動プーリ１６および従動プーリ１７間に張設されて、モータ１８により駆動されるベルトコンベア１９を備え、バランスウエイト収容部Ａから送出されたバランスウエイトＷをこのベルトコンベア１９に載せて斜め下方へ順次送り出すように機能する。このように前記送出口から順に送出される複数のバランスウエイトＷは、ベルトコンベア１９でこれに連続するバランスウエイト供給通路Ｃに送られる。このベルトコンベア１９の部分は、ベルトコンベア１９を省略し、傾斜する移送通路とし、傾斜によって重力で移動するようにしてもよい。
【００２１】
バランスウエイト移送通路Ｃは、駆動プーリ２０および従動プーリ２１間に張設されて、モータ２２により駆動されるベルトコンベア２３を備え、バランスウエイト移送通路Ｂから送り出されたバランスウエイトＷを、送出方向（供給方向）に送り出す。このベルトコンベア２３の速度はこれを駆動するモータ２２の駆動制御装置（図示しない）により任意に設定される。また、このバランスウエイト移送通路Ｃは、ベルトコンベア２３に続いて傾斜するバランスウエイト供給通路４４になっている。このバランスウエイト供給通路４４の上方には、図３に示すような保護カバー４５が設けられている。このバランスウエイト供給通路４４の出口に臨み、後述するバランスウエイト貼着部Ｅの円弧状支持面４１ａがウエイト支持台４１に支持されて設けられている。このバランスウエイト供給通路４４では、傾斜しているのでバランスウエイトＷは重力により傾斜下方に移動し直前に位置するバランスウエイトＷに当接状態となるので、前後の互いのバランスウエイトＷが線接触した状態で整列して移動する。
【００２２】
粘着シート送り出し部Ｄは、帯状の剥離シートＳの片面に粘着剤Ｎが塗布された粘着シート２４を、リール（またはスプール）２５にロール状に巻き付けたものからなる。この貼着シート送り出し部Ｄはモータ２６によって所定速度で連続的にまたは間欠的に粘着シート２４を送り出すように機能する。ここで、粘着シート２４のモータ２６による送り出しをスムースにするために、その粘着シート２４の走行経路に、この粘着シート２４に一定の張力を付与すテンション付与装置２７や、粘着シート２４を後述のバランスウエイト貼着部Ｅに向ってガイドする複数のガイドロール２８などが設けられている。粘着シート２４の送り出し速度や送り出しタイミングはモータ２６の駆動制御部（図示しない）により任意に設定可能となっている。
【００２３】
バランスウエイト貼着部Ｅは、図２および図３に示すように、前記粘着剤を介してバランスウエイトＷおよび粘着シート２４を圧接するように機能し、互いに対向位置された圧接ロール２９とウエイト支持台４１に支持された円弧状支持面４１ａを有する。このバランスウエイト貼着部Ｅでは、バランスウエイト移送通路Ｃのバランスウエイト供給通路４４から送り出されたバランスウエイトＷを、前記粘着シート送り出し部Ｄから送り出された粘着シート２４に前記粘着剤を介して貼着させる。ここでは、複数のバランスウエイトＷは所定速度で送り出された粘着シート２４上に粘着剤を介して、図７に示すように、一定の小間隔Ｇをおいて整列された状態で貼着する。
【００２４】
この場合において、バランスウエイト移送通路Ｃから繰り出された連続するバランスウエイトＷをウエイト支持台４１の円弧状支持面４１ａ上に順次案内することで、この円弧状支持面４１ａ上で進行方向に隣り合うバランスウエイトＷどうし間に所定幅の小間隔Ｇを生じさせ、その状態で粘着シート２４に貼着させる。即ち、図５に模式的に示すようにバランスウエイト供給通路４４から送られてくる先行するバランスウエイトＷ１が円弧状支持面４１ａに至ると、該バランスウエイトＷ１は円弧状支持面４１ａにより、それに連続する直後のバランスウエイトＷ２に対し傾斜するので、先行する円弧状支持面４１ａ上のバランスウエイトＷ１とそれに続く直後のバランスウエイトＷ２との間で、一方端側に開きＧが生じ、この状態で開きＧが生じた側で粘着シート２４に貼着され、これが連続して行われるため、粘着シート２４にはバランスウエイトが小間隙Ｇを持って連続して貼着され、列設される。この小間隔Ｇは、バランスウエイトＷを貼着した粘着シート２４を図８に示すような渦巻き状に巻き付けた場合に、隣り合うバランスウエイトＷどうしが互いに干渉し合う前に、粘着シート２４を十分に湾曲可能にする大きさとされる。これにより粘着シート２４の巻径、特に円柱形ブロック体Ｐの中心部の巻径を小さくすることができる。この結果、円柱形ブロック体Ｐ全体の外径を縮小化することができる。
【００２５】
また、圧接ロール２９はモータ支持台３０上に取り付けられたモータ３１によって無端状ベルト３２を介して駆動されるものである。また、モータ支持台３０は基台３３上に枢支部３４を介して回動（傾動）可能に設置され、かつガイド部材３８に沿って直線となっている。また、基台３３上には油圧シリンダ３５が設置され、この油圧シリンダ３５の伸縮ロッド３６先端部が、モータ支持台３０の側面に取り付けられたＬ字状リンク３７の一端に枢支されている。従って、油圧シリンダ３５の伸縮ロッド３６の往復作動によって、圧接ロール２９を備えたモータ支持台３０は前記枢支部３４を中心に回動可能となり、図２に示すように、２点鎖線で示す位置に退避可能となる。これにより圧接ロール２９の交換やメンテナンスを随時実行することができる。
【００２６】
さらに、前記モータ支持台３０の前記圧接ロール２９設置部位付近には「く」字状の支持部材４２が取り付けられており、この支持部材４２の先端にはバランスウエイト整列部Ｃから前記ウエイト支持台４１の円弧状支持面４１ａを介して送出されるバランスウエイトＷの上面に接しながら粘着シート２４の走行をガイドするガイドロール４３が回転自在に設けられている。
【００２７】
また、バランスウエイト移送通路Ｃの前記モータ２２およびリール２５を駆動するモータ２６はそれぞれベルトコンベア２３およびリール２５の速度を任意に調整できるようになっている。従って、本実施形態では、ベルトコンベア２３によるバランスウエイトＷの送り速度に対してリール２５に巻き付けられた粘着シート２４の送り出し（巻き戻し）速度を調整することができる。すなわち、モータ２２、２６の回転速度を予めプログラムした手順にて駆動制御することで、所定の速度でバランスウエイトＷを粘着シート２４上に送り出すことができる。そして、ウエイト支持台４１の円弧状支持面４１ａ上で、必要とする前記小間隔Ｇを保つように、バランスウエイトＷを粘着シート２４上に隣接配置および貼着することとなる。
【００２８】
この結果、粘着シート２４の単位長当たりのバランスウエイトＷの設置数は少なめになるものの、間隔Ｇが小さいので減少数はそれほどでもなく、所定径の円柱形ブロック体Ｐ全体としての外径を小さく抑えることができ、結果としてこの円柱形ブロック体Ｐの取り扱いや、運搬、更には収納を容易化することができる。また、粘着シート巻き取り部Ｆは、バランスウエイトＷが貼着された粘着シート２４を、モータ３９によって駆動されるリール４０に巻き取るように機能し、ここで巻き取られたバランスウエイトＷを有する粘着シート２４の円柱形ブロック体Ｐの中心部の巻径を最小限に抑え込むことができる。
【００２９】
次に、このバランスウエイト並列体の製造装置の動作を説明する。バランスウエイトＷは、本例では図６に示すように、側方から見て台形をなし、その前面ｔ１および後面ｔ２は相互に下方に向って広がる傾斜状をなしている。そして、かかる形態のバランスウエイトＷは複数個がバランスウエイト収容部Ａのホッパー１５内に投入される。このホッパー１５内のバランスウエイトＷは自重によってまたは図示しない揺動付与手段や振動付与手段を用いて、そのホッパー１５の底部にあるものから順次ホッパー１５外に送出される。
【００３０】
続いて、ホッパー１５から送出されたバランスウエイトＷはバランスウエイト移送通路Ｂのベルトコンベア１９上に載せられて、斜め下方に向って送り出される。このベルトコンベア１９上のバランスウエイトＷはバランスウエイト移送通路Ｃに受け渡される。
【００３１】
続く、バランスウエイト移送通路Ｃのバランスウエイト供給通路４４は、傾斜しておりバランスウエイトＷは、重力により傾斜下方に移動し前に位置するバランスウエイトＷに当接状態となるので、前後の互いのバランスウエイトが線接触した状態で整列して移動する。このバランスウエイトＷはバランスウエイト供給通路４４から次々にバランスウエイト貼着部Ｅに送り出され、バランスウエイトＷはウエイト支持台４１の円弧状支持面４１ａ上に案内される。この円弧状支持面４１ａ上では、進行方向に隣り合うバランスウエイトＷどうし間に前記図５に示したように所定幅の小間隔Ｇが発生する。この小間隔Ｇは、円弧状支持面４１ａ上に移動することで生ずるが、これはウエイト支持台４１付近にセンサおよびバランスウエイト位置調整手段等（図示しない）を設置し、前記小間隔Ｇの設定、制御、監視して実施するようにしてもよい。
【００３２】
一方、前記リール２５には予め粘着剤を片面に塗布した粘着シート２４が、その粘着剤が内側になるように巻装されている。このリールに巻き付けられた粘着シート２４はその一端がテンション付与装置２７、ガイドレール２８、バランスウエイト貼着部Ｅを構成する圧接ロール２９を順次介して、円弧状支持面４１ａに対向する部位に至り、さらに粘着シート巻き取り部Ｆを構成するリール４０に巻き取り可能になっている。この粘着シート２４のリール４０への巻き取りはモータ２９の動力によってなされる。
【００３３】
従って、粘着シート２４が前記圧接ロール２９によってガイドされる際に、その粘着シート２４の粘着剤に、ウエイト支持台４１の円弧状支持面４１ａに支承され小間隙Ｇを生じたバランスウエイトＷの底面が圧接される。このため、その粘着シート２４の粘着剤上には、前記小間隔Ｇを維持した状態で次々にバランスウエイトＷが貼着されていき、支持部材４２端のガイドロール４３を通過して粘着シート巻き取り部Ｆのリール４０に次々と巻き取られていく。
【００３４】
ここでテンション付与装置２７は、リール２５から送り出された（巻き戻された）粘着シート２４がモータ２５、３９やバランスウエイト貼着部Ｅにおける走行系の不安定な動作によって、リール４０との間で緩むのを防止するように、粘着シート２４に張力を付与する。これにより、バランスウエイト貼着部Ｅにおいて粘着シート２４上に連続するバランスウエイトＷを小間隔Ｇを維持した整列状態にて貼着させることができる。また、前記モータ支持台３０は枢支部３４を中心に回動自在であり、バランスウエイト貼着部Ｅのメンテナンスや部品交換などの作業には、図２に示すような２点鎖線で示す位置に退避させればよい。
【００３５】
前述のように、前記モータ２２、２６はそれぞれベルトコンベア２３およびリール２５の速度を任意に調整できるようになっている。従って、ベルトコンベア２３によるバランスウエイトＷの送り速度に対してリール２５に巻き付けられた粘着シート２４の送り出し速度（巻き戻し速度）を調整することで、連続するバランスウエイトＷを、前記円弧状支持面４１ａ上で所定の小間隔Ｇを生じさせて貼着させることができる。なお、これらのモータ２２、２６の回転速度は予めプログラムした手順に従って制御装置（コンピュータ）により駆動制御される。
【００３６】
従って、前述のような小間隔Ｇを維持した状態でのバランスウエイトＷの貼着によって、粘着シート２４の単位長当たりのバランスウエイトＷの貼着数は少なめになるものの、小間隔Ｇが小さいので、減少数はそれほどでもなく、図８に示すような円柱形ブロック体Ｐ全体の外径を小さめに抑えることができ、結果としてこの円柱形ブロック体Ｐの取り扱いや、運搬、更には収納を容易化できる。また、粘着シート巻き取り部Ｆは、バランスウエイトＷが貼着された粘着シート２４を、モータ３９によって駆動されるリール４０に巻き取るように機能する。ここで巻き取られたバランスウエイトＷを有する粘着シート２４の円柱形ブロック体Ｐの中心部の巻径を、図８に示すように前述の理由から最小限に抑え込むことができる。
【００３７】
そして、かかる円柱形ブロック体Ｐを構成するバランスウエイト並列体の剥離シートＳから粘着剤ＮとともにバランスウエイトＷの必要個数を剥離し、図１０に示すようにホイールＨに粘着剤Ｎを介するように貼着することで、ホイールバランス作業を簡単、迅速に実施できることとなる。
【００３８】
以上のように、本実施形態によれば、バランスウエイト収容部Ａから送出された複数個のバランスウエイトＷをバランスウエイト移送通路Ｂ、Ｃにより順に送り出し、こうして送り出されたバランスウエイトＷを、バランスウエイト供給通路４４で前後に位置するバランスウエイトが線接触して送り出され、一方、片面に粘着剤が塗布された帯状の粘着シート２４を粘着シート送り出し部Ｄから送り出し、前記バランスウエイト供給通路４４から送り出されたバランスウエイトＷをバランスウエイト貼着部Ｅの円弧状支持面４１ａ上に順次案内し、ここでその案内方向のバランスウエイトＷどうし間に所定幅の小間隔Ｇを発生させながら、粘着シート送り出し部Ｄから送り出された粘着シート２４に前記粘着剤を介し貼着させ、バランスウエイトＷが貼着された前記粘着シート２４を粘着シート巻き取り部Ｆに巻き取らせることとした。これにより、図８に示すようにバランスウエイトＷを内側にして粘着シート２４を巻き付けた円柱形ブロック体Ｐの外径を十分に縮小化できるとともに、単位長当たりの貼着数の減少分だけ重量の軽減を図ることでバランスウエイト並列体の取扱いや運搬、更には収納の各作業をより容易化することができるという効果が得られる。
【００３９】
また、本実施形態によれば、帯状の粘着シート２４上に複数の矩形ペレット状のバランスウエイトＷが所定間隔をおいて少なくとも一列に貼着され、このバランスウエイトＷを設けた粘着シート２４を図８に示すようにバランスウエイトＷを内側にして渦巻き状に巻き付けた際の巻径、特に円柱形ブロック体Ｐの中心部の巻径を小さくすることができ、結果として、円柱形ブロック体Ｐ全体の外径を小さめに抑えることができる。このため、粘着シート２４の単位長当たりのバランスウエイトＷの貼着数は少なめになるものの、所定径の円柱形ブロック体Ｐ全体としての重量及び外径を小さめに抑えることができ、結果としてこの円柱形ブロック体の取り扱いや、運搬、更には収納を容易化することができる。
【産業上の利用可能性】
【００４０】
本発明によれば、帯状の粘着シート上に複数のバランスウエイトを一定の小間隔を置いて並列させることができ、バランスウエイト並列体の取扱いや運搬、収納の各作業をより容易化しながら、バランスウエイト並列体を巻き付けた円柱形ブロック体の外径の縮小化および軽量化を実現できるという効果を有し、バランスウエイト並列体の製造装置および製造方法に有用である。
【符号の説明】
【００４１】
１１、１３  キャスター
１２、１４  フレーム
１５  ホッパー
１６、１７、２０、２１  プーリ
１８、２２、２６、３１、３９  モータ
１９、２３  ベルトコンベア
１３ａ  案内部材
２４  粘着シート
２５、４０  リール
２７  テンション付与装置
２８  ガイドロール
２９  圧接ロール
３０  モータ支持台
３２  無端状ベルト
３３  基台
３４  枢支部
３５  油圧シリンダ
３６  伸縮ロッド
３７  Ｌ字状リンク
３８  ガイド部材
４１  ウエイト支持台
４１ａ  円弧状支持面
４２  支持部材
４３  ガイドロール
４４  バランスウエイト供給通路
Ａ  バランスウエイト収容部
Ｂ、Ｃ  バランスウエイト移送通路
Ｄ  粘着シート送り出し部
Ｅ  バランスウエイト貼着部
Ｆ  粘着シート巻き取り部
Ｇ  小間隔
Ｐ  円柱形ブロック体
Ｗ  バランスウエイト
【図１】
0006458257.tif 000002
【図２】
0006458257.tif 000003
【図３】
0006458257.tif 000004
【図４】
0006458257.tif 000005
【図５】
0006458257.tif 000006
【図６】
0006458257.tif 000007
【図７】
0006458257.tif 000008
【図８】
0006458257.tif 000009
【図９】
0006458257.tif 000010
【図１０】
0006458257.tif 000011